(57)【特許請求の範囲】
【請求項１】
機体左右方向に並ぶ複数の刈刃を有する固定刃集合体と、
機体左右方向に並ぶ複数の刈刃を有し、前記固定刃集合体に対して機体左右方向に往復運動する複数の可動刃集合体と、が備えられ、
前記複数の可動刃集合体は、前記複数の可動刃集合体のうち隣り合う前記可動刃集合体が前記固定刃集合体の上側と下側とに交互に位置する状態、かつ、機体左右方向に位置ずれした状態で、機体左右方向に沿って並列配置されており、
前記複数の可動刃集合体に、第１可動刃集合体と第２可動刃集合体と第３可動刃集合体とが備えられ、
前記第１可動刃集合体及び前記第２可動刃集合体は、前記固定刃集合体の上側に設けられ、
前記第３可動刃集合体は、機体左右方向において、前記第１可動刃集合体と前記第２可動刃集合体との間に位置する状態で、前記固定刃集合体の下側に設けられ、
前記第１可動刃集合体に動力を伝達する第１動力伝達機構と、前記第２可動刃集合体に動力を伝達する第２動力伝達機構と、前記第１可動刃集合体及び前記第２可動刃集合体の何れか一方からの動力を前記第３可動刃集合体に伝達する第３動力伝達機構と、が備えられており、
前記第３動力伝達機構は、前記第１可動刃集合体及び前記第２可動刃集合体の何れか一方と、前記第３可動刃集合体と、を連結する棒状の連結部材を有しており、
前記連結部材の往復運動範囲は、前記固定刃集合体における複数の刈刃にまたがっており、
前記固定刃集合体は、第１固定刃群と、第２固定刃群と、第３固定刃群と、を有しており、
前記第１固定刃群は、前記第１可動刃集合体に対応する位置に位置しており、
前記第２固定刃群は、前記第２可動刃集合体に対応する位置に位置しており、
前記第３固定刃群は、前記第３可動刃集合体に対応する位置に位置しており、
前記第１固定刃群及び前記第２固定刃群は、共通の固定刃用ナイフバーに固定されており、
前記固定刃用ナイフバーとは異なる部材であると共に、機体左右方向に凹入する溝部が形成された支持部材を備え、
前記第３固定刃群は、前記支持部材において、前記溝部よりも前側の部位に固定されており、
前記支持部材において、前記溝部よりも後側の部位が、前記固定刃用ナイフバーに固定されており、
前記連結部材は、前記溝部を通る状態で配置されているコンバイン。
【請求項２】
前記複数の可動刃集合体のうち、前記固定刃集合体の下側に設けられた前記可動刃集合体の機体左右方向の長さの合計は、前記複数の可動刃集合体のうち、前記固定刃集合体の上側に設けられた前記可動刃集合体の機体左右方向の長さの合計よりも小さい請求項１に記載のコンバイン。
【請求項３】
前記固定刃集合体の上側部分のうち前記固定刃集合体の下側に設けられた前記可動刃集合体に対応する範囲を、上側から覆うカバー部材が備えられ、
前記カバー部材と、前記固定刃集合体の上側に設けられると共に前記カバー部材と隣り合う前記可動刃集合体とが連結され、
前記カバー部材は、前記カバー部材と隣り合う前記可動刃集合体と一体的に往復運動する請求項１または２に記載のコンバイン。
【請求項４】
前記固定刃集合体の上側部分のうち前記固定刃集合体の下側に設けられた前記可動刃集合体に対応する範囲に、刃が形成されておらず、機体左右方向に並ぶ複数の疑似刈刃を有する疑似刃集合体が備えられ、
前記疑似刃集合体と、前記固定刃集合体の下側に設けられた前記可動刃集合体とが連結され、
前記疑似刃集合体は、前記固定刃集合体の下側に設けられた前記可動刃集合体と一体的に往復運動するように構成されている請求項１または２に記載のコンバイン。
【請求項５】
機体左右方向に並ぶ複数の刈刃を有する固定刃集合体と、
機体左右方向に並ぶ複数の刈刃を有し、前記固定刃集合体に対して機体左右方向に往復運動する複数の可動刃集合体と、が備えられ、
前記複数の可動刃集合体は、前記複数の可動刃集合体のうち隣り合う前記可動刃集合体が前記固定刃集合体の上側と下側とに交互に位置する状態、かつ、機体左右方向に位置ずれした状態で、機体左右方向に沿って並列配置されており、
前記固定刃集合体の上側部分のうち前記固定刃集合体の下側に設けられた前記可動刃集合体に対応する範囲に、刃が形成されておらず、機体左右方向に並ぶ複数の疑似刈刃を有する疑似刃集合体が備えられ、
前記疑似刃集合体と、前記固定刃集合体の下側に設けられた前記可動刃集合体とが連結され、
前記疑似刃集合体は、前記固定刃集合体の下側に設けられた前記可動刃集合体と一体的に往復運動するように構成されているコンバイン。
【請求項６】
前記疑似刃集合体は、前記固定刃集合体の上側に設けられた前記可動刃集合体側において、前記固定刃集合体の下側に設けられた前記可動刃集合体よりも刈刃が１つ以上少なくなるように構成されている請求項４または５に記載のコンバイン。
【請求項７】
前記複数の可動刃集合体に、第１可動刃集合体と第２可動刃集合体と第３可動刃集合体とが備えられ、
前記第１可動刃集合体及び前記第２可動刃集合体は、前記固定刃集合体の上側に設けられ、
前記第３可動刃集合体は、機体左右方向において、前記第１可動刃集合体と前記第２可動刃集合体との間に位置する状態で、前記固定刃集合体の下側に設けられ、
前記第１可動刃集合体に動力を伝達する第１動力伝達機構と、前記第２可動刃集合体に動力を伝達する第２動力伝達機構と、前記第１可動刃集合体及び前記第２可動刃集合体の何れか一方からの動力を前記第３可動刃集合体に伝達する第３動力伝達機構と、が備えられている請求項１から６の何れか一項に記載のコンバイン。
【発明の詳細な説明】
【技術分野】
【０００１】
本発明は、固定刃集合体及び複数の可動刃集合体が備えられたコンバインに関する。
【背景技術】
【０００２】
上記のようなコンバインとして、例えば、特許文献１に記載のものが既に知られている。このコンバインは、植立穀稈を切断するバリカン型の切断装置（特許文献１では「刈取り装置」）を備えている。
【０００３】
この切断装置は、機体左右方向に並ぶ複数の刈刃（特許文献１では「歯」）を有する固定刃集合体（特許文献１では「固定刃」）と、機体左右方向に並ぶ複数の刈刃を有する左右一対の可動刃集合体（特許文献１では「可動刃」）と、を備えている。そして、左右一対の可動刃集合体は、何れも、固定刃集合体の上を摺動すると共に、固定刃集合体に対して機体左右方向に往復運動する。
【先行技術文献】
【特許文献】
【０００４】
【特許文献１】特開２０１０−１６１９４２号公報
【発明の概要】
【発明が解決しようとする課題】
【０００５】
上述したようなコンバインでは、左右一対の可動刃集合体の突合せの部分において、左右一対の可動刃集合体が互いに近づく方向へ動く際に互いに干渉してしまうことを防止できる程度の間隔を確保する必要がある。
【０００６】
そして、この間隔を確保した場合、左右一対の可動刃集合体の突合せの部分に対応する位置に、特殊な固定刃として、サイズの大きい１つの刈刃を設ける必要が生じる。以下では、この刈刃のことを「大型受刃」と呼称する。
【０００７】
実際に、特許文献１に記載のコンバインでは、機体左右方向において、左右一対の可動刃集合体の突合せの部分の上に、大型受刃（特許文献１では「固定刃」）が設けられている。そして、このコンバインでは、左右一対の可動刃集合体の突合せの部分と、大型受刃とによって、植立穀稈を切断することができる。
【０００８】
しかしながら、このコンバインでは、大型受刃が植立穀稈を押し倒してしまうことによって、押し倒された植立穀稈が切断されず、刈り残しが生じることがある。
【０００９】
本発明の目的は、刈り残しが生じ難いコンバインを提供することである。
【課題を解決するための手段】
【００１０】
本発明の特徴は、
機体左右方向に並ぶ複数の刈刃を有する固定刃集合体と、
機体左右方向に並ぶ複数の刈刃を有し、前記固定刃集合体に対して機体左右方向に往復運動する複数の可動刃集合体と、が備えられ、
前記複数の可動刃集合体は、前記複数の可動刃集合体のうち隣り合う前記可動刃集合体が前記固定刃集合体の上側と下側とに交互に位置する状態、かつ、機体左右方向に位置ずれした状態で、機体左右方向に沿って並列配置されており、
前記複数の可動刃集合体に、第１可動刃集合体と第２可動刃集合体と第３可動刃集合体とが備えられ、
前記第１可動刃集合体及び前記第２可動刃集合体は、前記固定刃集合体の上側に設けられ、
前記第３可動刃集合体は、機体左右方向において、前記第１可動刃集合体と前記第２可動刃集合体との間に位置する状態で、前記固定刃集合体の下側に設けられ、
前記第１可動刃集合体に動力を伝達する第１動力伝達機構と、前記第２可動刃集合体に動力を伝達する第２動力伝達機構と、前記第１可動刃集合体及び前記第２可動刃集合体の何れか一方からの動力を前記第３可動刃集合体に伝達する第３動力伝達機構と、が備えられており、
前記第３動力伝達機構は、前記第１可動刃集合体及び前記第２可動刃集合体の何れか一方と、前記第３可動刃集合体と、を連結する棒状の連結部材を有しており、
前記連結部材の往復運動範囲は、前記固定刃集合体における複数の刈刃にまたがっており、
前記固定刃集合体は、第１固定刃群と、第２固定刃群と、第３固定刃群と、を有しており、
前記第１固定刃群は、前記第１可動刃集合体に対応する位置に位置しており、
前記第２固定刃群は、前記第２可動刃集合体に対応する位置に位置しており、
前記第３固定刃群は、前記第３可動刃集合体に対応する位置に位置しており、
前記第１固定刃群及び前記第２固定刃群は、共通の固定刃用ナイフバーに固定されており、
前記固定刃用ナイフバーとは異なる部材であると共に、機体左右方向に凹入する溝部が形成された支持部材を備え、
前記第３固定刃群は、前記支持部材において、前記溝部よりも前側の部位に固定されており、
前記支持部材において、前記溝部よりも後側の部位が、前記固定刃用ナイフバーに固定されており、
前記連結部材は、前記溝部を通る状態で配置されていることにある。
【００１１】
本発明であれば、隣り合う可動刃集合体同士が、互いに近づく方向へ動いても、互いに干渉することがない。そのため、機体左右方向において、隣り合う可動刃集合体の間に、干渉防止のための間隔を確保する必要がない。これにより、大型受刃を省略することができる。
【００１２】
従って、本発明であれば、大型受刃が植立穀稈を押し倒してしまうことによって、押し倒された植立穀稈が切断されず、刈り残しが生じる事態を回避できる。即ち、刈り残しが生じ難くなる。
【００１３】
さらに、本発明において、
前記複数の可動刃集合体のうち、前記固定刃集合体の下側に設けられた前記可動刃集合体の機体左右方向の長さの合計は、前記複数の可動刃集合体のうち、前記固定刃集合体の上側に設けられた前記可動刃集合体の機体左右方向の長さの合計よりも小さいと好適である。
【００１４】
固定刃集合体の上側の面には、泥土が付着することがある。そして、固定刃集合体の上側の面のうち、固定刃集合体の上側に設けられた可動刃集合体に対応する範囲では、可動刃集合体の摺動によって、泥土が掻き落とされる。しかしながら、固定刃集合体の上側の面のうち、固定刃集合体の下側に設けられた可動刃集合体に対応する範囲では、泥土が掻き落とされずに堆積していく。
【００１５】
ここで、上記の構成によれば、固定刃集合体の上側の面のうち、固定刃集合体の下側に設けられた可動刃集合体に対応する範囲が、比較的狭くなる。これにより、固定刃集合体の上側の面のうち、泥土の堆積する範囲を狭くすることができる。
【００１６】
また、固定刃集合体と固定刃集合体の下側に設けられた可動刃集合体とに向かって、下側から泥土が飛んで来ることによって、固定刃集合体と固定刃集合体の下側に設けられた可動刃集合体との隙間に泥土が噛み込まれる事態が想定される。
【００１７】
ここで、上記の構成によれば、固定刃集合体の下側に設けられた可動刃集合体の機体左右方向の長さの合計が比較的小さいので、上記の隙間に泥土が噛み込まれた場合であっても、泥土が噛み込まれる範囲は比較的小さくなる。
【００１８】
そのため、上記の隙間に泥土が噛み込まれた場合に、噛み込まれた泥土によって生じる刈刃の摩耗や可動刃集合体の往復運動に対する負荷等の悪影響を小さくすることができる。
【００１９】
さらに、本発明において、
前記固定刃集合体の上側部分のうち前記固定刃集合体の下側に設けられた前記可動刃集合体に対応する範囲を、上側から覆うカバー部材が備えられ、
前記カバー部材と、前記固定刃集合体の上側に設けられると共に前記カバー部材と隣り合う前記可動刃集合体とが連結され、
前記カバー部材は、前記カバー部材と隣り合う前記可動刃集合体と一体的に往復運動すると好適である。
【００２０】
この構成によれば、固定刃集合体の上側の面に泥土が付着することが、カバー部材によって防止される。しかも、カバー部材は往復運動するため、カバー部材に泥土が付着しても、カバー部材は付着した泥土を揺り落とすことができる。
【００２１】
さらに、本発明において、
前記固定刃集合体の上側部分のうち前記固定刃集合体の下側に設けられた前記可動刃集合体に対応する範囲に、刃が形成されておらず、機体左右方向に並ぶ複数の疑似刈刃を有する疑似刃集合体が備えられ、
前記疑似刃集合体と、前記固定刃集合体の下側に設けられた前記可動刃集合体とが連結され、
前記疑似刃集合体は、前記固定刃集合体の下側に設けられた前記可動刃集合体と一体的に往復運動するように構成されていると好適である。
【００２２】
この構成によれば、固定刃集合体の上側の面のうち、固定刃集合体の上側に設けられた可動刃集合体に対応する範囲では、可動刃集合体の摺動によって、泥土が掻き落とされる。また、固定刃集合体の上側の面のうち、固定刃集合体の下側に設けられた可動刃集合体に対応する範囲では、疑似刃集合体の摺動によって、泥土が掻き落とされる。
【００２３】
従って、上記の構成によれば、固定刃集合体の上側の面の略全域に亘って、泥土が堆積し難くなる。
また、本発明の別の特徴は、
機体左右方向に並ぶ複数の刈刃を有する固定刃集合体と、
機体左右方向に並ぶ複数の刈刃を有し、前記固定刃集合体に対して機体左右方向に往復運動する複数の可動刃集合体と、が備えられ、
前記複数の可動刃集合体は、前記複数の可動刃集合体のうち隣り合う前記可動刃集合体が前記固定刃集合体の上側と下側とに交互に位置する状態、かつ、機体左右方向に位置ずれした状態で、機体左右方向に沿って並列配置されており、
前記固定刃集合体の上側部分のうち前記固定刃集合体の下側に設けられた前記可動刃集合体に対応する範囲に、刃が形成されておらず、機体左右方向に並ぶ複数の疑似刈刃を有する疑似刃集合体が備えられ、
前記疑似刃集合体と、前記固定刃集合体の下側に設けられた前記可動刃集合体とが連結され、
前記疑似刃集合体は、前記固定刃集合体の下側に設けられた前記可動刃集合体と一体的に往復運動するように構成されていることにある。
【００２４】
さらに、本発明において、
前記疑似刃集合体は、前記固定刃集合体の上側に設けられた前記可動刃集合体側において、前記固定刃集合体の下側に設けられた前記可動刃集合体よりも刈刃が１つ以上少なくなるように構成されていると好適である。
【００２５】
この構成によれば、疑似刃集合体のうち、固定刃集合体の上側に設けられた可動刃集合体に近い側において、刈刃の個数が少なくなっている。従って、各可動刃集合体が往復運動する際、固定刃集合体の上側に設けられた可動刃集合体と、固定刃集合体の下側に設けられた可動刃集合体と、が互いに近接する方向に動いて平面視において重複する場合であっても、固定刃集合体の上側に設けられた可動刃集合体と疑似刃集合体とが互いに干渉することを防止できる。
【００２６】
さらに、本発明において、
前記複数の可動刃集合体に、第１可動刃集合体と第２可動刃集合体と第３可動刃集合体とが備えられ、
前記第１可動刃集合体及び前記第２可動刃集合体は、前記固定刃集合体の上側に設けられ、
前記第３可動刃集合体は、機体左右方向において、前記第１可動刃集合体と前記第２可動刃集合体との間に位置する状態で、前記固定刃集合体の下側に設けられ、
前記第１可動刃集合体に動力を伝達する第１動力伝達機構と、前記第２可動刃集合体に動力を伝達する第２動力伝達機構と、前記第１可動刃集合体及び前記第２可動刃集合体の何れか一方からの動力を前記第３可動刃集合体に伝達する第３動力伝達機構と、が備えられていると好適である。
【００２７】
この構成によれば、第１動力伝達機構及び第２動力伝達機構の動力の伝達対象が、固定刃集合体よりも上側に位置することとなる。そのため、第１動力伝達機構及び第２動力伝達機構を固定刃集合体よりも上側に配置しやすい。従って、第１動力伝達機構及び第２動力伝達機構が圃場面に近接し過ぎず、両動力伝達機構が圃場に干渉しにくくなる。
【００２８】
しかも、第３動力伝達機構によって、第１可動刃集合体及び第２可動刃集合体の何れか一方からの動力が第３可動刃集合体に伝達されるため、第３可動刃集合体専用の動力伝達機構を設けずとも、動力源から第１動力伝達機構及び第２動力伝達機構へ動力を入力するだけで、第１可動刃集合体、第２可動刃集合体、第３可動刃集合体を往復運動させることができる。
【図面の簡単な説明】
【００２９】
【図１】コンバインの左側面図である。
【図２】コンバインの平面図である。
【図３】刈取部の構成を示す要部の平面図である。
【図４】図３のＩＶ−ＩＶ断面矢視図である。
【図５】図３のＶ−Ｖ断面矢視図である。
【図６】刃部の構成を示す分解平面図である。
【図７】刃部の構成を示す分解平面拡大図である。
【図８】刃部の構成を示す平面拡大図である。
【図９】固定刃集合体及び可動刃集合体の縦断正面図である。
【図１０】刃部の縦断正面図である。
【図１１】縦引起装置及び第２分草具の斜視図である。
【図１２】縦引起装置及び第２分草具の構成を示す断面図である。
【図１３】第１別実施形態における刃部の構成を示す分解平面図である。
【図１４】第１別実施形態における固定刃集合体、可動刃集合体、疑似刃集合体の縦断正面図である。
【発明を実施するための形態】
【００３０】
本発明を実施するための形態について、図面に基づき説明する。尚、以下の説明においては、図１及び図２に示す矢印Ｆの方向を「前」、矢印Ｂの方向を「後」として、図２、図３、図６、図９、図１３、図１４に示す矢印Ｌの方向を「左」、矢印Ｒの方向を「右」とする。また、図１、図９、図１４に示す矢印Ｕの方向を「上」、矢印Ｄの方向を「下」とする。
【００３１】
〔コンバインの全体構成〕
図１に示すように、コンバイン１は、左右一対のクローラ走行装置２を備えている。コンバイン１は、左右一対のクローラ走行装置２によって自走可能である。また、左右一対のクローラ走行装置２の前方には、稲、麦などの圃場の植立穀稈を刈り取る刈取部３が設けられている。尚、本実施形態において、刈取部３は６条刈りである。
【００３２】
図１及び図２に示すように、コンバイン１における前部右側には、運転部４が設けられている。運転部４の下方側には、コンバイン１の動力源としてのエンジン（図示せず）が備えられている。また、図２に示すように、運転部４は、運転座席４ａを有している。
【００３３】
図１及び図２に示すように、コンバイン１における後部左側には、脱穀装置５が設けられている。また、コンバイン１における後部右側には、穀粒タンク６が設けられている。
【００３４】
刈取部３で刈り取られた穀稈は、脱穀装置５に搬送される。脱穀装置５において、穀稈は脱穀処理される。脱穀処理により得られた穀粒は、穀粒タンク６に貯留される。穀粒タンク６に貯留された穀粒は、必要に応じて、穀粒排出装置７によって機外に排出される。
【００３５】
〔刈取部の構成〕
図１及び図２に示すように、刈取部３は、第１分草具９、第２分草具１０、横引起装置１１、縦引起装置１２、切断装置１３を有している。
【００３６】
コンバイン１の前進に伴い、第１分草具９及び第２分草具１０は、植立穀稈を分草する。分草された植立穀稈は、横引起装置１１及び縦引起装置１２によって引き起こされる。引き起こされた植立穀稈は、切断装置１３によって切断される。
【００３７】
このようにして、刈取部３は、植立穀稈を刈り取る。
【００３８】
また、図１及び図３に示すように、刈取部３は、左右一対の外側分草フレーム２１を備えている。左右一対の外側分草フレーム２１は、機体前後方向に延びている。また、左右一対の外側分草フレーム２１の後方側部分同士に亘って、機体左右方向に延びる支持フレーム１９が設けられている。さらに、支持フレーム１９の長手方向における複数箇所から機体前方向きに延出した状態で、複数の内側分草フレーム２６が設けられている。尚、図３においては、複数の内側分草フレーム２６の図示を省略している。
【００３９】
〔切断装置の構成〕
図３に示すように、切断装置１３は、刃部１４、第１動力伝達機構１５、第２動力伝達機構１６を備えている。図４及び図５に示すように、刃部１４は、支持フレーム１９に対して左右横向き軸芯Ｐ１周りで上下揺動自在に支持されている。刃部１４の下部から機体前方向きに延出している固定アーム２０の延出端側と、外側分草フレーム２１及び内側分草フレーム２６に付設されている固定用部材２２とに亘ってボルト２３を装着して、固定アーム２０の前方延出端側を固定用部材２２に連結することにより、刃部１４が支持フレーム１９に対して所望の取付け姿勢で固定される。
【００４０】
固定アーム２０の固定用部材２２に対するボルト２３による連結を解除することで、刃部１４の左右横向き軸芯Ｐ１周りでの上下揺動が許容され、刃部１４の装着姿勢を多少上下に変更することができるようになっている。
【００４１】
図３から図６に示すように、刃部１４は、固定刃集合体１７及び複数の可動刃集合体１８を備えている。固定刃集合体１７は機体に対して固定されている。一方で、複数の可動刃集合体１８は、左右方向にスライド移動可能な状態で設けられている。
【００４２】
また、図６に示すように、固定刃集合体１７は、機体左右方向に並ぶ複数の刈刃として、通常刈刃１７ａ及び２つの特殊刃１７ｂを有している。また、可動刃集合体１８は、機体左右方向に並ぶ複数の刈刃１８ａを有している。
【００４３】
図６に示すように、複数の可動刃集合体１８には、第１可動刃集合体１８１（本発明に係る「上側集合体」に相当）と第２可動刃集合体１８２（本発明に係る「上側集合体」に相当）と第３可動刃集合体１８３（本発明に係る「下側集合体」に相当）とが備えられている。第１可動刃集合体１８１及び第２可動刃集合体１８２は、固定刃集合体１７の上側に設けられている。
【００４４】
第３可動刃集合体１８３は、固定刃集合体１７の下側に設けられている。また、第３可動刃集合体１８３は、機体左右方向において、第１可動刃集合体１８１と第２可動刃集合体１８２との間に位置している。即ち、第１可動刃集合体１８１と第３可動刃集合体１８３とは、機体左右方向において隣り合っている。また、第３可動刃集合体１８３と第２可動刃集合体１８２とは、機体左右方向において隣り合っている。
【００４５】
このように、複数の可動刃集合体１８は、複数の可動刃集合体１８のうち隣り合う可動刃集合体１８が固定刃集合体１７の上側と下側とに交互に位置する状態、かつ、機体左右方向に位置ずれした状態で、機体左右方向に沿って並列配置されている。
【００４６】
図６から図８に示すように、特殊刃１７ｂは通常刈刃１７ａよりも後方に長く延びている。また、図９に示すように、第１可動刃集合体１８１及び第２可動刃集合体１８２を構成する複数の刈刃１８ａは、上辺が短辺で下辺が長辺である等脚台形状の断面を有している。これにより、刃先が下面側に形成されている。
【００４７】
また、第３可動刃集合体１８３を構成する複数の刈刃１８ａは、上辺が長辺で下辺が短辺である等脚台形状の断面を有している。これにより、刃先が上面側に形成されている。
【００４８】
また、固定刃集合体１７を構成する複数の通常刈刃１７ａのうち、２つの特殊刃１７ｂの間に位置する通常刈刃１７ａは、上辺が短辺で下辺が長辺である等脚台形状の断面を有している。これにより、刃先が下面側に形成されている。一方で、その他の通常刈刃１７ａは、上辺が長辺で下辺が短辺である等脚台形状の断面を有している。これにより、刃先が上面側に形成されている。
【００４９】
２つの特殊刃１７ｂは、何れも、平行四辺形状の断面を有している。そして、機体右側の特殊刃１７ｂにおいては、上面側では刃先が右側に形成されており、下面側では刃先が左側に形成されている。一方で、機体左側の特殊刃１７ｂにおいては、上面側では刃先が左側に形成されており、下面側では刃先が右側に形成されている。
【００５０】
また、図６に示すように、第１可動刃集合体１８１を構成する複数の刈刃１８ａの後側部分は、機体左右方向に延びる第１ナイフバー４１に固定されている。第２可動刃集合体１８２を構成する複数の刈刃１８ａの後側部分は、機体左右方向に延びる第２ナイフバー４２に固定されている。第３可動刃集合体１８３を構成する複数の刈刃１８ａの後側部分は、機体左右方向に延びる第３ナイフバー４３に固定されている。固定刃集合体１７を構成する複数の通常刈刃１７ａ及び２つの特殊刃１７ｂの後側部分は、機体左右方向に延びる第４ナイフバー４４（本発明に係る「固定刃用ナイフバー」に相当）に固定されている。
【００５１】
尚、図７に示すように、切断装置１３には、機体左右方向に延びるガイド部材３２（本発明に係る「支持部材」に相当）が設けられている。そして、２つの特殊刃１７ｂの間に位置する通常刈刃１７ａは、ガイド部材３２を介して、第４ナイフバー４４に固定されている。
【００５２】
また、図８に示すように、２つの特殊刃１７ｂは、特殊刃用ボルトｂ４によって、ガイド部材３２に締結されている。尚、図８は、図７に示す各部材を組み上げたものの構造を示している。
【００５３】
また、図６に示すように、第１可動刃集合体１８１、第２可動刃集合体１８２、第３可動刃集合体１８３の長さは、それぞれ、Ｙ１、Ｙ２、Ｙ３である。そして、Ｙ３は、Ｙ１とＹ２との合計よりも小さい。即ち、第３可動刃集合体１８３の長さ（Ｙ３）は、第１可動刃集合体１８１と第２可動刃集合体１８２との長さの合計（Ｙ１＋Ｙ２）よりも小さい。
【００５４】
このように、複数の可動刃集合体１８のうち、固定刃集合体１７の下側に設けられた可動刃集合体１８の機体左右方向の長さの合計は、複数の可動刃集合体１８のうち、固定刃集合体１７の上側に設けられた可動刃集合体１８の機体左右方向の長さの合計よりも小さい。
【００５５】
図３に示すように、第１動力伝達機構１５及び第２動力伝達機構１６は、それぞれ、可動刃操作体２７、操作ローラ２８、操作アーム２９、連動ロッド３０、駆動回転体３１を備えている。
【００５６】
左右一対の可動刃操作体２７は、それぞれ、第１可動刃集合体１８１及び第２可動刃集合体１８２に固定されている。また、可動刃操作体２７には、機体前後方向に延びる平面視Ｕ字状の係合溝２７ａが形成されている。そして、係合溝２７ａに、操作ローラ２８が係合している。
【００５７】
操作ローラ２８は、操作アーム２９の一端側に支持されている。操作アーム２９の他端側は、連動ロッド３０を介して、駆動回転体３１と連結されている。また、操作アーム２９は、操作アーム２９の中途部に位置するアーム支軸２９ａ周りに揺動可能な状態で設けられている。
【００５８】
駆動回転体３１が回転すると、その回転駆動力は、連動ロッド３０によって往復動力に変換される。そして、この往復動力は、操作アーム２９及び操作ローラ２８を介して、可動刃操作体２７に作用する。これにより、第１可動刃集合体１８１及び第２可動刃集合体１８２は左右に往復駆動される。
【００５９】
このように、コンバイン１には、第１可動刃集合体１８１に動力を伝達する第１動力伝達機構１５と、第２可動刃集合体１８２に動力を伝達する第２動力伝達機構１６と、が備えられている。
【００６０】
また、左右一対の駆動回転体３１は、互いに逆回転するように構成されている。そして、左右一対の操作アーム２９は相反する方向に一定ストロークで左右揺動する。これにより、第１可動刃集合体１８１及び第２可動刃集合体１８２は相反する方向に左右往復駆動される。即ち、第１可動刃集合体１８１及び第２可動刃集合体１８２は、互いに近接離間するように左右に往復運動する。
【００６１】
尚、図７に示すように、ガイド部材３２には、凹入部３２ａ（本発明に係る「溝部」に相当）が形成されている。凹入部３２ａによって、第２ナイフバー４２の左右往復運動がガイドされる。
【００６２】
図６から図８に示すように、第２ナイフバー４２の右側端部には、カバー部材３３が取り付けられている。カバー部材３３は、固定刃集合体１７の上側部分のうち第３可動刃集合体１８３に対応する範囲を上側から覆うように構成されている。尚、カバー部材３３は、第２可動刃集合体１８２と隣り合う位置に設けられている。
【００６３】
図７及び図１０に示すように、カバー部材３３は、締結位置Ｘ１における皿ねじｂ１（本発明に係る「連結部材」に相当）と、締結位置Ｘ２における皿ねじｂ２とによって、第２ナイフバー４２の右側端部に締結されている。これにより、カバー部材３３と第２可動刃集合体１８２とが連結されている。
即ち、カバー部材３３は、第２可動刃集合体１８２と一体的に往復運動する。
【００６４】
このように、カバー部材３３と、固定刃集合体１７の上側に設けられると共にカバー部材３３と隣り合う可動刃集合体１８とが連結されている。また、カバー部材３３は、カバー部材３３と隣り合う可動刃集合体１８と一体的に往復運動する。
【００６５】
尚、皿ねじｂ１によって、カバー部材３３、第２ナイフバー４２、第３可動刃集合体１８３、第３ナイフバー４３が共締めされている。また、皿ねじｂ１の締結位置Ｘ１において、第２ナイフバー４２と第３可動刃集合体１８３との間には、円筒状のスペーサｓ１が設けられている。皿ねじｂ１は、スペーサｓ１の内部を通されている。
【００６６】
また、締結位置Ｘ３におけるボルトｂ３によって、第２ナイフバー４２、第２可動刃集合体１８２、第３ナイフバー４３が共締めされている。また、ボルトｂ３の締結位置Ｘ３において、第２可動刃集合体１８２と第３ナイフバー４３との間には、円筒状のスペーサｓ２が設けられている。ボルトｂ３は、スペーサｓ２の内部を通されている。
【００６７】
皿ねじｂ１及びボルトｂ３は、本発明に係る「第３動力伝達機構」に相当する。即ち、左右一対の駆動回転体３１の回転駆動力によって、上述の通り、第１可動刃集合体１８１及び第２可動刃集合体１８２が左右に往復駆動される際、皿ねじｂ１及びボルトｂ３によって、第２可動刃集合体１８２からの動力が第３可動刃集合体１８３に伝達される。これにより、第１可動刃集合体１８１、第２可動刃集合体１８２、第３可動刃集合体１８３は、固定刃集合体１７に対して機体左右方向に往復運動する。
【００６８】
尚、本実施形態においては、皿ねじｂ１及びボルトｂ３によって、第２可動刃集合体１８２と第３可動刃集合体１８３とが連結されているが、この構成に代えて、第１可動刃集合体１８１と第３可動刃集合体１８３とが連結される構成であっても良い。この場合、第１可動刃集合体１８１と第３可動刃集合体１８３とを連結する部材が、本発明に係る「第３動力伝達機構」に相当する。
【００６９】
このように、コンバイン１には、第１可動刃集合体１８１及び第２可動刃集合体１８２の何れか一方からの動力を第３可動刃集合体１８３に伝達する第３動力伝達機構が備えられている。
【００７０】
第１可動刃集合体１８１、第２可動刃集合体１８２、第３可動刃集合体１８３が機体左右方向に往復運動する際、第１可動刃集合体１８１と第２可動刃集合体１８２とが最も大きく離間したとき、第１可動刃集合体１８１、第２可動刃集合体１８２、第３可動刃集合体１８３、カバー部材３３の位置は図９の実線及び図８で示す通りとなる。
【００７１】
これらの部材は、図９に実線で示す位置から矢印で示す方向へ移動する。これに伴い、第１可動刃集合体１８１と第２可動刃集合体１８２とが接近していく。そして、第１可動刃集合体１８１と第２可動刃集合体１８２とが最も近接したとき、第１可動刃集合体１８１、第２可動刃集合体１８２、第３可動刃集合体１８３、カバー部材３３の位置は図９に仮想線で示す通りとなる。
【００７２】
尚、本実施形態では、第１可動刃集合体１８１と第２可動刃集合体１８２とが最も近接した状態においては、カバー部材３３の右側端部と、第１可動刃集合体１８１の左側端部と、のそれぞれの機体左右方向における位置が略一致する。
【００７３】
また、本実施形態では、図８に示すように、第１可動刃集合体１８１と第２可動刃集合体１８２とが最も大きく離間した状態においては、カバー部材３３の右側端部と、第１可動刃集合体１８１の左側端部と、が平面視で通常刈刃１７ａ２つ分程度離間している。
【００７４】
この構成により、第１可動刃集合体１８１と第２可動刃集合体１８２との間がカバー部材３３によって常時覆われてしまうことはない。そのため、カバー部材３３と固定刃集合体１７の上面との間に泥土が入り込んだ場合は、第１可動刃集合体１８１と第２可動刃集合体１８２とを互いに離間させて、その泥土を容易に取り除くことができる。
【００７５】
図３及び図４に示すように、切断装置１３には、複数の上側ナイフクリップ３４が設けられている。上側ナイフクリップ３４は、第１ナイフバー４１及び第２ナイフバー４２を前後から挟持する形状を有している。そして、上側ナイフクリップ３４によって、第１ナイフバー４１及び第２ナイフバー４２の左右往復運動がガイドされる。
【００７６】
また、図３及び図５に示すように、切断装置１３には、下側ナイフクリップ３５が設けられている。下側ナイフクリップ３５は、第３ナイフバー４３を前後から挟持する形状を有している。そして、下側ナイフクリップ３５によって、第３ナイフバー４３の左右往復運動がガイドされる。
【００７７】
以上で説明した構成によれば、隣り合う可動刃集合体１８同士が、互いに近づく方向へ動いても、互いに干渉することがない。そのため、機体左右方向において、隣り合う可動刃集合体１８の間に、干渉防止のための間隔を確保する必要がない。これにより、大型受刃を省略することができる。
【００７８】
従って、以上で説明した構成によれば、大型受刃が植立穀稈を押し倒してしまうことによって、押し倒された植立穀稈が切断されず、刈り残しが生じる事態を回避できる。即ち、刈り残しが生じ難くなる。
【００７９】
〔縦引起装置及び第２分草具の構成〕
図１１及び図１２に示すように、縦引起装置１２は、複数の縦引起爪１２ａを有している。また、縦引起装置１２の上端部から下端部に亘って、チェーン１２ｂが巻回されている。複数の縦引起爪１２ａは、チェーン１２ｂに支持されている。そして、チェーン１２ｂの回転により、複数の縦引起爪１２ａが上方へ移動する。これにより、複数の縦引起爪１２ａは、植立穀稈を引き起こす。
【００８０】
第２分草具１０は、左右一対の帯鋼３６及び左右一対の筒状部材３７を有している。左右一対の帯鋼３６は、それぞれ、前後方向に延びた状態で設けられている。また、左右一対の帯鋼３６は、第２分草具１０が先細りの形状となるように、前端部では向かい合う面同士が接触しており、後方へ向けて広がるように延びている。
【００８１】
また、左右一対の帯鋼３６の上側部分には、それぞれ、筒状部材３７が溶接により固定されている。前後方向に延びた状態で設けられている。そして、左右一対の筒状部材３７は、左右一対の帯鋼３６と同様に、第２分草具１０が先細りの形状となるように、後方へ向けて広がるように延びている。尚、図１２に示すように、筒状部材３７は、帯鋼３６よりも外側へはみ出ないように、帯鋼３６の外側の面よりも内側に位置している。
【００８２】
左右一対の帯鋼３６は、ボルトｂ５によって、縦引起装置１２の下端部に締結される。
【００８３】
以上の構成により、植立穀稈は、第２分草具１０によって分草された後、縦引起装置１２によって引き起こされる。
【００８４】
尚、図１１に示されている第２分草具１０は、コンバイン１に備わる複数の第２分草具１０のうち、機体左端に位置する第２分草具１０である。そして、この第２分草具１０における左右一対の筒状部材３７のうち、左側の筒状部材３７は、右側の筒状部材３７よりも短い。一方で、機体右端に位置する第２分草具１０においては、右側の筒状部材３７が、左側の筒状部材３７よりも短い。
【００８５】
また、その他の第２分草具１０においては、左側の筒状部材３７の長さと右側の筒状部材３７の長さとが等しい。
【００８６】
〔第１別実施形態〕
上記実施形態では、複数の可動刃集合体１８には、第１可動刃集合体１８１と第２可動刃集合体１８２と第３可動刃集合体１８３とが備えられている。そして、第２ナイフバー４２の右側端部には、カバー部材３３が取り付けられている。
【００８７】
しかしながら、本発明はこれに限定されない。以下では、本発明に係る第１別実施形態について、上記実施形態とは異なる点を中心に説明する。以下で説明している部分以外の構成は、上記実施形態と同様である。また、上記実施形態と同様の構成については、同じ符号を付している。
【００８８】
図１３及び図１４は、本発明に係る第１別実施形態における固定刃集合体１７及び複数の可動刃集合体１８の構成を示す図である。図１３に示すように、第１別実施形態においては、複数の可動刃集合体１８には、上側可動刃集合体１８４と下側可動刃集合体１８５とが備えられている。
【００８９】
上側可動刃集合体１８４は、固定刃集合体１７の上側に設けられている。一方で、下側可動刃集合体１８５は、固定刃集合体１７の下側に設けられている。そして、固定刃集合体１７の上側部分のうち下側可動刃集合体１８５に対応する範囲に、疑似刃集合体１８６が備えられている。尚、上側可動刃集合体１８４は機体右側に設けられている。また、下側可動刃集合体１８５及び疑似刃集合体１８６は、機体左側に設けられている。
【００９０】
疑似刃集合体１８６には、刃が形成されていない。また、疑似刃集合体１８６は、機体左右方向に並ぶ複数の疑似刈刃１８６ａを有している。さらに、疑似刃集合体１８６は、機体右側（本発明に係る「固定刃集合体の上側に設けられた可動刃集合体側」に相当）において、下側可動刃集合体１８５よりも刈刃が１つ少なくなるように構成されている。尚、本発明はこれに限定されず、疑似刃集合体１８６は、機体右側において、下側可動刃集合体１８５よりも刈刃が２つ以上少なくなるように構成されていても良い。
【００９１】
このように、疑似刃集合体１８６は、固定刃集合体１７の上側に設けられた可動刃集合体１８側において、固定刃集合体１７の下側に設けられた可動刃集合体１８よりも刈刃が１つ以上少なくなるように構成されている。
【００９２】
上記実施形態において、図３に示した構成と同様に、第１別実施形態においても、第１動力伝達機構１５及び第２動力伝達機構１６が設けられている。また、第１動力伝達機構１５及び第２動力伝達機構１６は、それぞれ、可動刃操作体２７、操作ローラ２８、操作アーム２９、連動ロッド３０、駆動回転体３１を備えている。
【００９３】
機体右側の可動刃操作体２７は、上側可動刃集合体１８４に固定されている。また、機体左側の可動刃操作体２７は、下側可動刃集合体１８５及び疑似刃集合体１８６に固定されている。即ち、疑似刃集合体１８６と、下側可動刃集合体１８５とが連結されている。
【００９４】
この構成により、左右一対の駆動回転体３１が回転すると、その回転駆動力によって、上側可動刃集合体１８４及び下側可動刃集合体１８５は、互いに近接離間するように左右に往復運動する。また、疑似刃集合体１８６は、下側可動刃集合体１８５と一体的に往復運動する。
【００９５】
上側可動刃集合体１８４、下側可動刃集合体１８５、疑似刃集合体１８６が機体左右方向に往復運動する際、上側可動刃集合体１８４と下側可動刃集合体１８５とが最も大きく離間したとき、上側可動刃集合体１８４、下側可動刃集合体１８５、疑似刃集合体１８６の位置は図１４に実線で示す通りとなる。
【００９６】
これらの部材は、図１４に実線で示す位置から矢印で示す方向へ移動する。これに伴い、上側可動刃集合体１８４と下側可動刃集合体１８５とが接近していく。そして、上側可動刃集合体１８４と下側可動刃集合体１８５とが最も近接したとき、上側可動刃集合体１８４、下側可動刃集合体１８５、疑似刃集合体１８６の位置は図１４に仮想線で示す通りとなる。
【００９７】
〔その他の実施形態〕
（１）コンバイン１は、６条刈り以外であっても良い。即ち、コンバイン１の刈り取り条数は、５条以下であっても良いし、７条以上であっても良い。
【００９８】
（２）左右一対のクローラ走行装置２の代わりに、左右一対のホイール式の走行装置が設けられていても良い。また、走行装置は、セミクローラ式であっても良い。
【００９９】
（３）カバー部材３３は設けられていなくても良い。
【０１００】
（４）コンバイン１の動力源として、エンジンの代わりに、電動モータが備えられていても良い。
【０１０１】
（５）複数の可動刃集合体１８のうち、固定刃集合体１７の下側に設けられた可動刃集合体１８の機体左右方向の長さの合計は、複数の可動刃集合体１８のうち、固定刃集合体１７の上側に設けられた可動刃集合体１８の機体左右方向の長さの合計よりも大きくても良い。
【０１０２】
（６）上記実施形態においては、コンバイン１に備わる複数の可動刃集合体１８のうちの全てが、固定刃集合体１７の上側と下側とに交互に位置する状態、かつ、機体左右方向に位置ずれした状態で、機体左右方向に並列配置されている。しかしながら、本発明はこれに限定されない。即ち、コンバイン１に備わる複数の可動刃集合体１８のうち、少なくとも１組の隣り合う可動刃集合体１８が、固定刃集合体１７の上側と下側とに交互に位置する状態、かつ、機体左右方向に位置ずれした状態で、機体左右方向に並列配置されているのであれば、その他の可動刃集合体１８の位置は任意に設定して良い。
【０１０３】
（７）第１可動刃集合体１８１と第２可動刃集合体１８２とが最も大きく離間した状態においても、カバー部材３３が第１可動刃集合体１８１と第２可動刃集合体１８２との間を覆うように構成されていても良い。この場合、第１可動刃集合体１８１と第２可動刃集合体１８２との間がカバー部材３３によって常時覆われることとなる。これにより、カバー部材３３と固定刃集合体１７の上面との間に泥土が入り込みにくくなる。
【０１０４】
（８）第１別実施形態において、疑似刃集合体１８６は設けられていなくても良い。
【産業上の利用可能性】
【０１０５】
本発明は、固定刃集合体及び複数の可動刃集合体が備えられたコンバインに適用することができる。
【符号の説明】
【０１０６】
１                        コンバイン
１５                      第１動力伝達機構
１６                      第２動力伝達機構
１７                      固定刃集合体
１８                      可動刃集合体
１７ａ、１７ｂ、１８ａ    刈刃
３２                      ガイド部材（支持部材）
３２ａ                    凹入部（溝部）
３３                      カバー部材
４４                      第４ナイフバー（固定刃用ナイフバー）
１８１                    第１可動刃集合体（上側集合体）
１８２                    第２可動刃集合体（上側集合体）
１８３                    第３可動刃集合体（下側集合体）
１８６                    疑似刃集合体
１８６ａ                  疑似刈刃
ｂ１                      皿ねじ（第３動力伝達機構、連結部材）
ｂ３                      ボルト（第３動力伝達機構）
【図１】
0006667384.tif 000002
【図２】
0006667384.tif 000003
【図３】
0006667384.tif 000004
【図４】
0006667384.tif 000005
【図５】
0006667384.tif 000006
【図６】
0006667384.tif 000007
【図７】
0006667384.tif 000008
【図８】
0006667384.tif 000009
【図９】
0006667384.tif 000010
【図１０】
0006667384.tif 000011
【図１１】
0006667384.tif 000012
【図１２】
0006667384.tif 000013
【図１３】
0006667384.tif 000014
【図１４】
0006667384.tif 000015